【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】
コンテンツの視聴者間での多者通話サービスを提供する多者通話システムであって、
各々、ネットワークを介して視聴者の端末に接続された、コンテンツ配信装置と多者通話制御装置とを備え、
前記コンテンツ配信装置は、
視聴者の端末から前記コンテンツの視聴依頼を受け付ける視聴依頼受付手段と、
前記視聴依頼受付手段で受け付けた視聴依頼を、当該視聴依頼の送信元アドレスに対応付けて管理する視聴者管理手段と、
前記コンテンツを、前記ネットワークを介して、前記視聴者管理手段で管理されている送信元アドレスへ配信するコンテンツ配信手段と、を有し、
前記多者通話制御装置は、
視聴者の端末から多者通話の参加依頼を受け付ける参加依頼受付手段と、
前記参加依頼受付手段で受け付けた参加依頼の送信元アドレスが前記視聴者管理手段で管理されている送信元アドレスである場合に、当該送信元アドレスを管理する参加者管理手段と、
前記ネットワークを介して、前記参加者管理手段で管理されている送信元アドレスを持つ視聴者の端末から通話データを受け取り、受け取った通話データを混合して、多者通話データを生成する混合手段と、
前記混合手段で生成された多者通話データを、前記ネットワークを介して、前記参加者管理手段で管理されている送信元アドレスへ配信する多者通話データ配信手段と、を有すること
を特徴とする多者通話システム。
【請求項２】
請求項１記載の多者通話システムであって、
前記多者通話制御装置は、
視聴者の端末から多者通話の参加呼びかけ依頼を受け付ける参加呼びかけ依頼受付手段と、
前記参加呼びかけ依頼受付手段が受け付けた参加呼びかけ依頼の送信元アドレスが前記参加者管理手段で管理されている送信元アドレスである場合に、前記視聴者管理手段で管理されている送信元アドレスのうち、前記参加者管理手段で管理されている送信元アドレス以外の送信元アドレスを持つ視聴者の端末に対して、多者通話への参加を促す参加呼びかけを配信し、当該視聴者の端末から当該参加呼びかけに対する応答を受け付ける参加呼びかけ手段と、をさらに有し、
前記参加者管理手段は、前記参加呼びかけ手段が受け付けた参加呼びかけに対する応答が参加する旨を示している場合に、当該応答の送信元アドレスを管理すること
を特徴とする多者通話システム。
【請求項３】
請求項２記載の多者通話システムであって、
前記多者通話サービスの加入者の個人情報が当該加入者の識別情報に対応付けられて登録されたデータベースをさらに有し、
前記視聴依頼には、視聴者の前記識別情報が含まれており、
前記参加呼びかけ依頼受付手段は、受け付けた参加呼びかけ依頼の送信元アドレスが前記参加者管理手段で管理されている場合、前記視聴者管理手段で管理されている視聴依頼の中から前記参加者管理手段で管理されている送信元アドレスに対応付けられている視聴依頼以外の視聴依頼を検索し、前記データベースを用いて、検出した視聴依頼に含まれる視聴者の識別情報から当該視聴者の個人情報を特定し、当該特定した個人情報の中から参加を呼びかける視聴者の個人情報を選択させるための参加者選択情報を、前記参加呼びかけ依頼の送信元アドレスへ送信し、
前記参加呼びかけ手段は、前記データベースを用いて、前記視聴者管理手段で前記参加呼びかけ依頼の送信元アドレスに対応付けられて管理されている視聴依頼に含まれる視聴者の識別情報から個人情報を特定し、当該特定した個人情報を参加呼びかけ者とする参加呼びかけを、前記参加呼びかけ依頼の送信元が選択した個人情報の識別情報を含む、前記視聴者管理手段で管理されている視聴依頼の送信元アドレスへ送信し、当該送信元アドレスを持つ端末から、当該参加呼びかけに対する応答を受け付けること
を特徴とする多者通話システム。
【請求項４】
請求項１記載の多者通話システムであって、
前記ネットワークは、ＩＰ網であり、
前記コンテンツ配信手段は、前記コンテンツをＩＰパケット化し、各ＩＰパケットのヘッダに、前記視聴者管理手段により管理されている送信元アドレスを付して、前記ＩＰ網上へマルチキャスト配信し、
前記多者通話データ配信手段は、前記混合手段により生成された多者通話データをＩＰパケット化し、各ＩＰパケットのヘッダに、前記参加者管理手段により管理されている送信元アドレスを付して、前記ＩＰ網上へマルチキャスト配信すること
を特徴とする多者通話システム。
【請求項５】
請求項４記載の多者通話システムであって、
前記ＩＰ網から受信したＩＰパケットを組み立てて復元したコンテンツをテレビジョン放送する手段を有する第１の中継装置と、
ＩＰパケットを組み立てて復元した多者通話データを前記多者通話制御装置より通知された電話番号に対応する回線へ送信する手段と、前記回線から受け取った通話データをＩＰパケット化して前記多者通話制御装置へ送信する手段とを有する、前記ＩＰ網および電話回線網間のデータ中継を行なう第２の中継装置と、をさらに有し、
前記視聴依頼受付手段は、
前記ＩＰ網を介して視聴者の端末から視聴依頼を受け付ける手段と、
前記電話回線網を介して視聴者の端末から視聴依頼を受け付ける手段と、を有し、
前記視聴者管理手段は、前記視聴依頼受付手段で受け付けた視聴依頼に対応付ける送信元アドレスを、前記視聴依頼受付手段が前記ＩＰ網を介して当該視聴依頼を受け付けた場合は当該視聴依頼の送信元のＩＰアドレスに設定すると共に、前記電話回線網を介して当該視聴依頼を受け付けた場合は当該視聴依頼の送信元の電話番号に設定し、
前記コンテンツ配信手段は、前記視聴者管理手段で管理されている送信元アドレスに電話番号がある場合、前記コンテンツのＩＰパケットのヘッダに付す送信アドレスとして、当該電話番号に代わりに前記第１の中継装置のＩＰアドレスを用い、
前記参加依頼受付手段は、
前記ＩＰ網を介して視聴者の端末から参加依頼を受け付ける手段と、
前記電話回線網を介して視聴者の端末から電話番号を含む参加依頼を受け付ける手段と、を有し、
前記参加者管理手段は、前記参加者依頼受付手段で受け付けた参加者依頼に対応付ける送信元アドレスを、前記参加者依頼受付手段が前記ＩＰ網を介して当該参加者依頼を受け付けた場合は当該参加者依頼の送信元のＩＰアドレスに設定すると共に、前記電話回線網を介して当該参加依頼を受け付けた場合は当該参加依頼の送信元の電話番号に設定し、
前記混合手段は、前記参加者管理手段で管理されている参加依頼の送信元アドレスに電話番号が含まれている場合、前記ネットワークを介して、前記参加者管理手段で管理されているＩＰアドレスを持つ視聴者の端末および前記第２の中継装置から通話データを受け取り、混合して、多者通話データを生成し、
前記多者通話データ配信手段は、前記参加者管理手段で管理されている参加依頼の送信元アドレスに電話番号が含まれている場合、前記混合手段により生成された多者通話データのＩＰパケットのヘッダに付すアドレスとして、当該電話番号に代わりに前記第２の中継装置のＩＰアドレスを用い、
前記多者通話制御装置は、前記参加依頼受付手段が受付けた参加依頼の送信元アドレスが電話番号である場合に、当該参加依頼に含まれる電話番号を前記第２の中継装置に通知する番号通知手段をさらに有すること
を特徴とする多者通話システム。
【請求項６】
請求項５記載の多者通話システムであって、
前記電話回線網とのインターフェースを備えた視聴者の端末は、
テレビジョン放送された前記コンテンツを受信してテレビジョン放送表示装置に出力する受信手段と、
前記受信手段による前記コンテンツの受信に先立ち、操作者より設定された電話機の電話番号を含んだ、前記コンテンツの視聴依頼を、前記電話回線網を介して、前記コンテンツ配信装置に送信する視聴依頼送信手段と、
前記受信手段による前記コンテンツの受信中に、操作者より多者通話の参加依頼を受け付け、これを、前記電話回線網を介して、前記多者通話制御装置に送信する参加依頼送信手段と、を備えていること
を特徴とする多者通話システム。
【請求項７】
請求項５記載の多者通話システムであって、
前記ＩＰ網とのインターフェースを備えた視聴者の端末は、
前記コンテンツの視聴依頼を、前記ＩＰ網を介して、前記コンテンツ配信装置に送信する視聴依頼送信手段と、
ＩＰパケットを組み立てて復元した前記コンテンツを表示装置に表示するコンテンツ表示手段と、
前記コンテンツ表示手段による前記コンテンツの前記表示装置への表示中に、操作者より多者通話の参加依頼を受け付け、これを、前記ＩＰ網を介して、前記多者通話制御装置に送信する参加依頼送信手段と、
ＩＰパケットを組み立てて復元した前記多者通話データに従った音声を、音声出力装置に出力する多者通話出力手段と、
音声入力装置に入力された音声に従った通話データをＩＰパケット化し、各ＩＰパケットのヘッダに、前記多者通話制御装置のＩＰアドレスを付して、前記ＩＰ網上へ送信する通話データ送信手段と、を有すること
を特徴とする多者通話システム。
【請求項８】
請求項１記載の多者通話システムであって、
前記視聴依頼は、視聴を望むコンテンツの指定を含み、
前記視聴者管理手段は、コンテンツ毎に、当該コンテンツの指定を含む視聴依頼を当該視聴依頼の送信元アドレスに対応付けて管理し、
前記コンテンツ配信手段は、前記視聴者管理手段により送信元アドレスが対応付けられているコンテンツを、前記ネットワークを介して、当該コンテンツに対応付けている送信元アドレスへ配信し、
前記参加者管理手段は、参加依頼の送信アドレスを、前記視聴者管理手段により当該送信元アドレスが対応付けられているコンテンツに対応付けて管理し、
前記混合手段は、前記参加者管理手段で管理されているコンテンツ毎に、当該コンテンツに対応付けられている送信元アドレスを持つ視聴者の端末から通話データを受け取り、受け取った通話データを混合して、多者通話データを生成し、
前記多者通話データ配信手段は、前記混合手段によりコンテンツ毎に生成された多者通話データを、前記ネットワークを介して、前記参加者管理手段によって対応するコンテンツに対応付けられている送信元アドレスへ配信すること
を特徴とする多者通話システム。
【請求項９】
電子計算機を用いて、コンテンツの視聴者間での多者通話サービスを提供する多者通話方法であって、
視聴者の端末から前記コンテンツの視聴依頼を受け付ける視聴依頼受付ステップと、
前記視聴依頼受付ステップが受け付けた視聴依頼を、当該視聴依頼の送信元アドレスに対応付けて管理する視聴者管理ステップと、
前記コンテンツを、前記視聴者管理ステップで管理された送信元アドレスへ配信するコンテンツ配信ステップと、
視聴者の端末から多者通話の参加依頼を受け付ける参加依頼受付ステップと、
前記参加依頼受付ステップで受け付けた参加依頼の送信元アドレスが、前記視聴者管理ステップで管理された送信元アドレスである場合に、当該送信元アドレスを管理する参加者管理ステップと、
前記参加者管理ステップで管理された送信元アドレスを持つ視聴者の端末から通話データを受け取り、受け取った通話データを混合して、多者通話データを生成する混合ステップと、
前記混合ステップにより生成された多者通話データを、前記参加者管理ステップで管理された送信元アドレスへ配信する多者通話データ配信ステップと、を有すること
を特徴とする多者通話方法。
【請求項１０】
請求項９記載の多者通話方法であって、
前記視聴依頼受付ステップは、ＩＰ網を介して視聴者の端末から視聴依頼を受け付けると共に、電話回線網を介して視聴者の端末から視聴依頼を受け付け、
前記視聴者管理ステップは、前記視聴依頼受付ステップで受け付けた視聴依頼に対応付ける送信元アドレスを、前記ＩＰ網を介して当該視聴依頼を受け付けた場合は当該視聴依頼の送信元のＩＰアドレスに設定すると共に、前記電話回線網を介して当該視聴依頼を受け付けた場合は当該視聴依頼の送信元の電話番号に設定し、
前記コンテンツ配信ステップは、前記コンテンツをＩＰパケット化し、各ＩＰパケットのヘッダに、前記視聴者管理ステップで管理された送信元アドレスを付して、前記ＩＰ網上へマルチキャスト配信すると共に、前記視聴者管理ステップで管理された送信元アドレスに電話番号が含まれている場合は、前記コンテンツのＩＰパケットのヘッダに付す送信アドレスとして、当該電話番号に代わりに、ＩＰパケットを組み立ててコンテンツを復元し放送する第１の中継装置のＩＰアドレスを用い、
前記参加依頼受付ステップは、前記ＩＰ網を介して視聴者の端末から参加依頼を受け付けると共に、前記電話回線網を介して視聴者の端末から、電話番号を含む参加依頼を受け付け、
前記参加者管理ステップは、前記参加者依頼受付ステップで受け付けた参加者依頼の送信元アドレスを、前記ＩＰ網を介して当該参加者依頼を受け付けた場合は当該参加者依頼の送信元のＩＰアドレスに設定すると共に、前記電話回線網を介して当該参加依頼を受け付けた場合は当該参加依頼の送信元の電話番号に設定し、
前記混合ステップは、前記ＩＰ網を介して、前記参加者管理ステップで管理されたＩＰアドレスを持つ視聴者の端末から通話データを受け取り、受け取った通話データを混合して、多者通話データを生成すると共に、前記参加者管理ステップで管理された送信元アドレスに電話番号が含まれている場合は、前記参加者管理ステップで管理されたＩＰアドレスを持つ視聴者の端末、および、ＩＰパケットを組み立てて多者通話データを復元し前記電子計算機より通知された電話番号により特定される回線へ送信すると共に、前記回線から受け取った通話データをＩＰパケット化して前記電子計算機へ送信する第２の中継装置から通話データを受け取り、混合して、多者通話データを生成し、
前記多者通話データ配信ステップは、前記混合ステップで生成された多者通話データをＩＰパケット化し、各ＩＰパケットのヘッダに、前記参加者管理ステップで管理された送信元アドレスを付して、前記ＩＰ網上へマルチキャスト配信すると共に、前記参加者管理ステップで管理された送信元アドレスに電話番号が含まれている場合は、前記多者通話データの各ＩＰパケットのヘッダに付す送信アドレスとして、当該電話番号に代わりに、前記第２の中継装置のＩＰアドレスを用い、且つ、当該電話番号を送信元とする参加依頼に含まれている電話番号を、前記第２の中継装置に通知すること
を特徴とする多者通話方法。